(57)【特許請求の範囲】
【請求項１】
接続情報を提供する情報提供装置であって、
外部からの入力に基づいて、第１の動作モードと第２の動作モードとのいずれか一方の動作モードを当該情報提供装置に設定するモード設定部と、
前記モード設定部が設定した動作モードが前記第１の動作モードである場合、当該情報提供装置にあらかじめ設定された第１の接続情報を提供し、前記モード設定部が設定した動作モードが前記第２の動作モードである場合、前記第１の接続情報とは異なる、当該情報提供装置が帰属する親機から取得した第２の接続情報を提供する提供部とを有し、
前記提供部は、前記第２の接続情報が複数存在し、前記第２の接続情報を提供する場合、該複数の第２の接続情報のうち、前記親機との間で使用する第２の接続情報とは異なる第２の接続情報、または、当該情報提供装置の外部からの入力に基づいた第２の接続情報を提供する情報提供装置。
【請求項２】
接続情報を提供する情報提供装置であって、
外部からの入力に基づいて、第１の動作モードと第２の動作モードとのいずれか一方の動作モードを当該情報提供装置に設定するモード設定部と、
前記モード設定部が設定した動作モードが前記第１の動作モードである場合、当該情報提供装置にあらかじめ設定された第１の接続情報を提供し、前記モード設定部が設定した動作モードが前記第２の動作モードである場合、前記第１の接続情報とは異なる、当該情報提供装置が帰属する親機から取得した第２の接続情報を提供する提供部とを有し、
前記提供部は、前記第１の接続情報が複数存在し、前記第１の接続情報を提供する場合、該複数の第１の接続情報のうち、該第１の接続情報を中継する中継機との間で使用する第１の接続情報とは異なる第１の接続情報、または、当該情報提供装置の外部からの入力に基づいた第１の接続情報を提供する情報提供装置。
【請求項３】
請求項１または請求項２に記載の情報提供装置において、
他の装置と通信を行う通信部を有し、
前記通信部は、当該情報提供装置と接続された表示装置に、前記接続情報を表示させることを特徴とする情報提供装置。
【請求項４】
請求項１から３のいずれか１項に記載の情報提供装置において、
前記提供部は、前記接続情報に基づいて生成したコードを表示することを特徴とする情報提供装置。
【請求項５】
接続情報を提供する情報提供装置における情報提供方法であって、
当該情報提供装置の外部からの入力に基づいて、第１の動作モードと第２の動作モードとのいずれか一方の動作モードを当該情報提供装置に設定する処理と、
前記設定した動作モードが前記第１の動作モードである場合、前記情報提供装置にあらかじめ設定された第１の接続情報を提供する処理と、
前記設定した動作モードが前記第２の動作モードである場合、前記第１の接続情報とは異なる、前記情報提供装置が帰属する親機から取得した第２の接続情報を提供する処理と、
前記第２の接続情報が複数存在し、前記第２の接続情報を提供する場合、該複数の第２の接続情報のうち、前記親機との間で使用する第２の接続情報とは異なる第２の接続情報、または、前記情報提供装置の外部からの入力に基づいた第２の接続情報を提供する処理とを行う情報提供方法。
【請求項６】
接続情報を提供する情報提供装置に、
当該情報提供装置の外部からの入力に基づいて、第１の動作モードと第２の動作モードとのいずれか一方の動作モードを当該情報提供装置に設定する手順と、
前記設定した動作モードが前記第１の動作モードである場合、前記情報提供装置にあらかじめ設定された第１の接続情報を提供する手順と、
前記設定した動作モードが前記第２の動作モードである場合、前記第１の接続情報とは異なる、前記情報提供装置が帰属する親機から取得した第２の接続情報を提供する手順と、
前記第２の接続情報が複数存在し、前記第２の接続情報を提供する場合、該複数の第２の接続情報のうち、前記親機との間で使用する第２の接続情報とは異なる第２の接続情報、または、前記情報提供装置の外部からの入力に基づいた第２の接続情報を提供する手順とを実行させるためのプログラム。
【発明の詳細な説明】
【技術分野】
【０００１】
本発明は、情報を提供する情報提供装置、情報提供方法およびプログラムに関する。
【背景技術】
【０００２】
近年、無線通信の１つの手段として、無線ＬＡＮ（Ｌｏｃａｌ  Ａｒｅａ  Ｎｅｔｗｏｒｋ）通信が多く用いられてきている。その無線ＬＡＮ通信においては、アクセスポイント（以下、親機と称する）が、無線ＬＡＮの設定や、ＶｏＩＰ（Ｖｏｉｃｅ  ｏｖｅｒ  Ｉｎｔｅｒｎｅｔ  Ｐｒｏｔｏｃｏｌ）の設定、電子メールのようなアプリケーションの設定等に必要な情報を、ＱＲ（Ｑｕｉｃｋ  Ｒｅｓｐｏｎｓｅ）コード（登録商標）等の二次元コードを用いて提供し、提供された二次元コードを、無線ＬＡＮ通信機能を具備した携帯端末等の無線ＬＡＮ端末（以下、子機と称する）が読み取り、当該設定を無線ＬＡＮ端末に反映する技術が考えられている（例えば、特許文献１，２参照。）。
【先行技術文献】
【特許文献】
【０００３】
【特許文献１】特開２００６−１５７８１４号公報
【特許文献２】特開２００６−１５７８１５号公報
【発明の概要】
【発明が解決しようとする課題】
【０００４】
しかしながら、上述したような技術は、親機が、無線ＬＡＮ通信の中継を行う無線ＬＡＮ中継装置（以下、中継機と称する）として動作する場合、接続（帰属）している親機から取得した接続情報であるＳＳＩＤ（Ｓｅｒｖｉｃｅ  Ｓｅｔ  Ｉｄｅｎｔｉｆｉｅｒ）および暗号化キーとを子機へ提供することができないという問題点がある。
【０００５】
本発明の目的は、上述した課題を解決する情報提供装置、情報提供方法およびプログラムを提供することである。
【課題を解決するための手段】
【０００６】
本発明の情報提供装置は、
接続情報を提供する情報提供装置であって、
外部からの入力に基づいて、第１の動作モードと第２の動作モードとのいずれか一方の動作モードを当該情報提供装置に設定するモード設定部と、
前記モード設定部が設定した動作モードに基づいて、第１の接続情報と第２の接続情報とのいずれか一方の接続情報を提供する提供部とを有する。
【０００７】
また、本発明の情報提供方法は、
接続情報を提供する情報提供装置における情報提供方法であって、
当該情報提供装置の外部からの入力に基づいて、第１の動作モードと第２の動作モードとのいずれか一方の動作モードを当該情報提供装置に設定する処理と、
前記設定した動作モードに基づいて、第１の接続情報と第２の接続情報とのいずれか一方の接続情報を提供する処理とを行う。
【０００８】
また、本発明のプログラムは、
接続情報を提供する情報提供装置に実行させるためのプログラムであって、
当該情報提供装置の外部からの入力に基づいて、第１の動作モードと第２の動作モードとのいずれか一方の動作モードを当該情報提供装置に設定する手順と、
前記設定した動作モードに基づいて、第１の接続情報と第２の接続情報とのいずれか一方の接続情報を提供する手順とを実行させる。
【発明の効果】
【０００９】
以上説明したように、本発明においては、中継機として動作する装置から、接続情報を提供することができる。
【図面の簡単な説明】
【００１０】
【図１】本発明の情報提供装置である無線ＬＡＮ装置の実施の一形態を示す図である。
【図２】図１に示した無線ＬＡＮ装置を使用したシステムの一例を示す図である。
【図３】図１に示した無線ＬＡＮ装置における情報提供方法を説明するためのフローチャートである。
【図４】本発明の情報提供装置である無線ＬＡＮ装置に２つの無線回路が搭載されている場合の実施の一形態を示す図である。
【図５】図４に示した無線ＬＡＮ装置を使用したシステムの一例を示す図である。
【図６】図４に示した無線ＬＡＮ装置における情報提供方法を説明するためのフローチャートである。
【図７】他の装置に接続情報を表示させる機能を具備した無線ＬＡＮ装置を使用したシステムの一例を示す図である。
【図８】複数の無線回路が搭載されている無線ＬＡＮ装置を使用したシステムの他の例を示す図である。
【発明を実施するための形態】
【００１１】
以下に、本発明の実施の形態について図面を参照して説明する。
【００１２】
図１は、本発明の情報提供装置である無線ＬＡＮ装置の実施の一形態を示す図である。
【００１３】
本形態における無線ＬＡＮ装置１００には図１に示すように、モード設定部１１０と、制御部１２０と、提供部１３０と、無線回路１４０と、作業メモリ１５０と、不揮発メモリ１６０とが設けられている。なお、図１には、本形態における無線ＬＡＮ装置１００が具備する構成要素のうち、本発明に関わる構成要素のみを示した。
【００１４】
モード設定部１１０は、外部からの入力に基づいて、親機モード（第１の動作モード）と中継機モード（第２の動作モード）とのいずれか一方の動作モードを無線ＬＡＮ装置１００に設定する。ここで、親機モードとは、無線ＬＡＮ装置１００が親機として動作するための動作モードである。また、中継機モードとは、無線ＬＡＮ装置１００が中継機として動作するための動作モードである。また、外部からの入力とは、無線ＬＡＮ装置１００に搭載された動作モード設定用のスイッチへの利用者の操作や、無線ＬＡＮ装置１００に搭載されたディスプレイに表示されたメニューを利用者がカーソル移動やキー操作で選択するものであっても良い。
【００１５】
制御部１２０は、無線ＬＡＮ装置１００全体を制御する。また、制御部１２０は、モード設定部１１０が設定した動作モードで無線ＬＡＮ装置１００を動作させ、動作モードの設定が変更になった場合は、その切り替え制御を行う。
【００１６】
提供部１３０は、モード設定部１１０が設定した動作モードに基づいて、不揮発メモリ１６０にあらかじめ設定（格納）されている接続情報（第１の接続情報）と、作業メモリ１５０に格納されている接続情報（第２の接続情報）とのいずれか一方の接続情報を提供する。具体的には、提供部１３０は、モード設定部１１０が設定した動作モードが親機モードである場合、不揮発メモリ１６０にあらかじめ設定（格納）されている接続情報を提供し、また、提供部１３０は、モード設定部１１０が設定した動作モードが中継機モードである場合は、作業メモリ１５０に格納されている接続情報を提供する。なお、この接続情報の提供方法は、接続情報を表現する所定のコード（例えば、当該コードの表示や、当該コードを記憶媒体に記憶することによる提供、または、当該コードを電波や光による通信方法で提供する方法であっても良い）を生成し、当該コードの表示であっても良い。また、接続情報は、無線ＬＡＮ装置１００と無線接続するための情報であり、ＳＳＩＤと暗号化キーとを含むものである。接続情報に基づいて、所定のコードを生成する主体は、制御部１２０であっても良いし、提供部１３０であっても良い。また、コードの生成方法は、一般的な方法で良く、ここでは特に規定しない。
【００１７】
無線回路１４０は、無線通信を行う回路である。このとき、無線回路１４０は、モード設定部１１０が設定した動作モードが親機モードである場合、不揮発メモリ１６０にあらかじめ設定（格納）されている接続情報（ＳＳＩＤおよび暗号化キー）を用いて中継機および子機として動作する端末と無線通信を行う。また、無線回路１４０は、モード設定部１１０が設定した動作モードが中継機モードである場合、作業メモリ１５０に格納されている接続情報（ＳＳＩＤおよび暗号化キー）を用いて親機および子機として動作する端末と無線通信を行う。
【００１８】
作業メモリ１５０は、モード設定部１１０が設定した動作モードが中継機モードである場合、帰属元となる親機である無線ＬＡＮ装置から取得した接続情報（ＳＳＩＤおよび暗号化キー）を格納する。この親機からの接続情報の取得方法については、特に規定しない。また、作業メモリ１５０は、不揮発性のものであっても良いし、揮発性のものであっても良い。
【００１９】
不揮発メモリ１６０には、あらかじめ設定された接続情報（ＳＳＩＤおよび暗号化キー）が、無線ＬＡＮ装置１００ごとに固有値として書き込まれる。また、不揮発メモリ１６０は、書き込まれた接続情報を記憶（保存）する。なお、不揮発メモリ１６０が記憶している接続情報は、外部から変更（書き換え）可能である。
【００２０】
図２は、図１に示した無線ＬＡＮ装置を使用したシステムの一例を示す図である。
【００２１】
無線ＬＡＮ装置１００−１のモード設定部１１０は、外部から入力に基づいて、親機モードを無線ＬＡＮ装置１００−１に設定している。また、無線ＬＡＮ装置１００−１は、インターネット３００と接続している。また、無線ＬＡＮ装置１００−１の不揮発メモリ１６０には、工場出荷時に書き込まれた接続情報であるＳＳＩＤ１と暗号化キー１とが格納されている。また、無線ＬＡＮ装置１００−１の作業メモリ１５０には、何も格納されていない。また、無線ＬＡＮ装置１００−１の提供部１３０は、無線ＬＡＮ装置１００−１の不揮発メモリ１６０に格納されているＳＳＩＤ１と暗号化キー１とから生成された二次元コードを表示している。
【００２２】
無線ＬＡＮ装置１００−２のモード設定部１１０は、外部から入力に基づいて、中継機モードを無線ＬＡＮ装置１００−２に設定している。また、無線ＬＡＮ装置１００−２は、親機である無線ＬＡＮ装置１００−１と無線接続（帰属）されている。また、無線ＬＡＮ装置１００−２の不揮発メモリ１６０には、工場出荷時に書き込まれた接続情報であるＳＳＩＤ２と暗号化キー２とが格納されている。また、無線ＬＡＮ装置１００−２の作業メモリ１５０には、無線ＬＡＮ装置１００−１と無線接続したときに無線ＬＡＮ装置１００−１から取得した接続情報であるＳＳＩＤ１と暗号化キー１とが格納されている。また、無線ＬＡＮ装置１００−２の提供部１３０は、無線ＬＡＮ装置１００−２の作業メモリ１５０に格納されているＳＳＩＤ１と暗号化キー１とから生成された二次元コードを表示している。これにより、無線ＬＡＮ装置１００−２は、ＳＳＩＤ１と暗号化キー１とをあたかも無線ＬＡＮ装置１００−２固有のＳＳＩＤと暗号化キーとの様に見せた動作を行う。
【００２３】
無線ＬＡＮ端末２００は、コードリーダーやカメラ等の撮影機能を有する。無線ＬＡＮ端末２００は、無線ＬＡＮ装置１００−２の提供部１３０に表示された二次元コードを撮影することにより、当該二次元コードに表現されたＳＳＩＤ１と暗号化キー１とを用いて、無線ＬＡＮ装置１００−２と無線接続することができる。また、無線ＬＡＮ端末２００は、ＳＳＩＤ１と暗号化キー１とを用いて無線接続されているため、無線ＬＡＮ装置１００−１とも無線接続が可能となっている。
【００２４】
以下に、図１に示した無線ＬＡＮ装置１００における情報提供方法について説明する。
【００２５】
図３は、図１に示した無線ＬＡＮ装置１００における情報提供方法を説明するためのフローチャートである。
【００２６】
まず、制御部１２０が、モード設定部１１０が無線ＬＡＮ装置１００の動作モードとして中継機モードを設定したかどうかを判別する（ステップＳ１）。
【００２７】
制御部１２０が、モード設定部１１０が無線ＬＡＮ装置１００の動作モードとして中継機モードを設定していないと判別すると、制御部１２０は、無線ＬＡＮ装置１００を親機モードで起動する（ステップＳ２）。そして、制御部１２０は、不揮発メモリ１６０に格納されている接続情報であるＳＳＩＤ２と暗号化キー２とを読み出し、それらに基づいて二次元コードを生成し、提供部１３０が、当該二次元コードを提供（表示）する（ステップＳ３）。
【００２８】
一方、ステップＳ１にて、モード設定部１１０が無線ＬＡＮ装置１００の動作モードとして中継機モードを設定していると判別すると、制御部１２０は、無線ＬＡＮ装置１００を中継機モードで起動する（ステップＳ４）。その後、親機モードで動作している無線ＬＡＮ装置（以下、親機と称する）との帰属（無線接続）が完了すると（ステップＳ５）、帰属した親機のＳＳＩＤ１と暗号化キー１とを作業メモリ１５０に格納する（ステップＳ６）。ここで、親機との帰属（無線接続）が完了したかどうかを判別する方法は、一般的な方法であれば良く、ここでは特に規定しない。そして、制御部１２０は、作業メモリ１５０に格納されている接続情報であるＳＳＩＤ１と暗号化キー１とを読み出し、それらに基づいて二次元コードを生成し、提供部１３０が、当該二次元コードを提供（表示）する（ステップＳ７）。
【００２９】
ステップＳ３またはステップＳ７の処理後、制御部１２０は、モード設定部１１０が動作モードを変更したかどうかを判別する（ステップＳ８）。変更があった場合、ステップＳ１の処理が行われる。
【００３０】
このように、動作モードが中継機モードに設定されている無線ＬＡＮ装置おいて、親機との帰属によりＳＳＩＤと暗号化キーとが変更された時に、作業メモリに書き込まれた接続（帰属）親機のＳＳＩＤと暗号化キーとから二次元コードを生成し、生成した二次元コードを自機の提供部１３０から提供させる。これにより、利用者にＳＳＩＤと暗号化キーとの変更を意識させることなく、提供された二次元コードのカメラ撮影による子機との無線接続を実施させることができる。そのため、中継機モードを有する無線ＬＡＮ装置と無線ＬＡＮ端末（子機）との無線接続が容易になる。
【００３１】
以下に、本発明の他の実施の形態について説明する。
【００３２】
図４は、本発明の情報提供装置である無線ＬＡＮ装置に２つの無線回路が搭載されている場合の実施の一形態を示す図である。
【００３３】
本形態における無線ＬＡＮ装置１０１には図４に示すように、モード設定部１１０と、制御部１２０と、提供部１３０と、無線回路１４０−１，１４０−２と、作業メモリ１５１と、不揮発メモリ１６１とが設けられている。なお、図４には、本形態における無線ＬＡＮ装置１０１が具備する構成要素のうち、本発明に関わる構成要素のみを示した。また、図４には、無線回路が２つである場合を例に挙げて示しているが、３つ以上であっても良い。
【００３４】
モード設定部１１０および制御部１２０は、図１に示したものと同じ動作を行う。
【００３５】
無線回路１４０−１と無線回路１４０−２とは、互いに異なる周波数帯域を用いて無線通信を行う。例えば、無線回路１４０−１は、２．４ＧＨｚ帯を使用して無線通信を行い、無線回路１４０−２は、５ＧＨｚ帯を使用して無線通信を行う。また、無線回路１４０−１と無線回路１４０−２とは、同時に無線接続が可能である。
【００３６】
作業メモリ１５１には、無線回路の数と同じ数の接続情報が格納されている。例えば、図４に示すように、２．４ＧＨｚ帯を使用する無線回路１４０−１用の接続情報として、ＳＳＩＤ３および暗号化キー３が格納され、５ＧＨｚ帯を使用する無線回路１４０−２用の接続情報として、ＳＳＩＤ４および暗号化キー４が格納されている。これらの接続情報は、図１に示した形態と同様に、親機から取得したものである。また、作業メモリ１５１は、不揮発性のものであっても良いし、揮発性のものであっても良い。
【００３７】
不揮発メモリ１６１には、無線回路の数と同じ数の接続情報が格納されている。例えば、図４に示すように、２．４ＧＨｚ帯を使用する無線回路１４０−１用の接続情報として、ＳＳＩＤ５および暗号化キー５が格納され、５ＧＨｚ帯を使用する無線回路１４０−２用の接続情報として、ＳＳＩＤ６および暗号化キー６が格納されている。これらの接続情報は、図１に示した形態と同様に、あらかじめ設定され固有値として書き込まれたものである。また、不揮発メモリ１６１が記憶している接続情報は、外部から変更（書き換え）可能である。
【００３８】
提供部１３０は、これらの接続情報のうち、無線ＬＡＮ装置１０１が子機との間で無線通信を行うための接続情報を提供する。この詳細については、以下に説明する。
【００３９】
図５は、図４に示した無線ＬＡＮ装置を使用したシステムの一例を示す図である。なお、図５に示した例では、無線ＬＡＮ装置１０１−１と無線ＬＡＮ装置１０１−２との間において、５ＧＨｚ帯を使用して無線通信を行い、無線ＬＡＮ装置１０１−１，１０１−２と無線ＬＡＮ端末２００との間において、２．４ＧＨｚ帯を使用して無線通信を行う場合を示している。これは、無線ＬＡＮ装置１０１−１，１０１−２および無線ＬＡＮ端末２００の相互の接続を全て同じＳＳＩＤ（チャネル）で行うと、それらの通信が同じ周波数上の同一チャネルで行われるため、それらの通信を時間分割制御する必要が発生し、無線速度（スループット）が半分に低下してしまうことを防ぐことを目的としている。
【００４０】
無線ＬＡＮ装置１０１−１のモード設定部１１０は、外部から入力に基づいて、親機モードを無線ＬＡＮ装置１０１−１に設定している。また、無線ＬＡＮ装置１０１−１は、インターネット３００と接続している。また、無線ＬＡＮ装置１０１−１の不揮発メモリ１６１には、工場出荷時に書き込まれた接続情報が格納されている。ここで、無線ＬＡＮ装置１０１−１の不揮発メモリ１６１には、無線ＬＡＮ装置１０１−１が親機モードで動作する場合に使用する、２．４ＧＨｚ帯を使用して無線通信を行うための接続情報（ＳＳＩＤ３および暗号化キー３）と、５ＧＨｚ帯を使用して無線通信を行うための接続情報（ＳＳＩＤ４および暗号化キー４）との２つの種類の接続情報が格納されている。また、無線ＬＡＮ装置１０１−１の作業メモリ１５１には、何も格納されていない。また、無線ＬＡＮ装置１０１−１の提供部１３０は、無線ＬＡＮ装置１０１−１の不揮発メモリ１６１に格納されている接続情報のうち、中継機モードで動作している無線ＬＡＮ装置１０１−２との間の無線通信で使用される接続情報とは異なる接続情報から生成された二次元コードを表示している。つまり、無線ＬＡＮ装置１０１−１の提供部１３０は、無線ＬＡＮ装置１０１−１の不揮発メモリ１６１に格納されている接続情報のうち、無線ＬＡＮ端末２００との間の無線通信で使用される２．４ＧＨｚ帯用の接続情報であるＳＳＩＤ３と暗号化キー３とから生成された二次元コードを表示している。
【００４１】
無線ＬＡＮ装置１０１−２のモード設定部１１０は、外部から入力に基づいて、中継機モードを無線ＬＡＮ装置１０１−２に設定している。また、無線ＬＡＮ装置１０１−２は、親機である無線ＬＡＮ装置１０１−１と無線接続（帰属）されている。また、無線ＬＡＮ装置１０１−２の不揮発メモリ１６１には、工場出荷時に書き込まれた接続情報が格納されている。ここで、無線ＬＡＮ装置１０１−２の不揮発メモリ１６１には、無線ＬＡＮ装置１０１−２が親機モードで動作する場合に使用する、２．４ＧＨｚ帯を使用して無線通信を行うための接続情報（ＳＳＩＤ５および暗号化キー５）と、５ＧＨｚ帯を使用して無線通信を行うための接続情報（ＳＳＩＤ６および暗号化キー６）との２つの種類の接続情報が格納されている。また、無線ＬＡＮ装置１０１−２の作業メモリ１５１には、無線ＬＡＮ装置１０１−１と無線接続したときに無線ＬＡＮ装置１０１−１から取得した接続情報が格納されている。この接続情報は、２．４ＧＨｚ帯を使用して無線通信を行うための接続情報（ＳＳＩＤ３および暗号化キー３）と、５ＧＨｚ帯を使用して無線通信を行うための接続情報（ＳＳＩＤ４および暗号化キー４）との２つの種類の接続情報である。また、無線ＬＡＮ装置１０１−２の提供部１３０は、無線ＬＡＮ装置１０１−２の作業メモリ１５１に格納されている接続情報のうち、親機モードで動作している無線ＬＡＮ装置１０１−１との間の無線通信で使用される接続情報とは異なる接続情報から生成された二次元コードを表示している。つまり、無線ＬＡＮ装置１０１−２の提供部１３０は、無線ＬＡＮ装置１０１−２の作業メモリ１５１に格納されている接続情報のうち、無線ＬＡＮ端末２００との間の無線通信で使用される２．４ＧＨｚ帯用の接続情報であるＳＳＩＤ３と暗号化キー３とから生成された二次元コードを表示している。これにより、無線ＬＡＮ装置１０１−２は、ＳＳＩＤ３と暗号化キー３とをあたかも無線ＬＡＮ装置１０１−２固有のＳＳＩＤと暗号化キーとの様に見せた動作を行う。
【００４２】
無線ＬＡＮ端末２００は、無線ＬＡＮ装置１０１−２の提供部１３０に表示された二次元コードを撮影することにより、当該二次元コードに表現されたＳＳＩＤ３と暗号化キー３とを用いて、無線ＬＡＮ装置１０１−２と無線接続することができる。また、無線ＬＡＮ端末２００は、ＳＳＩＤ３と暗号化キー３とを用いて無線接続されているため、無線ＬＡＮ装置１０１−１とも無線接続が可能となっている。
【００４３】
このように、無線ＬＡＮ装置１０１−１，１０１−２が複数の接続情報を保持している場合、無線ＬＡＮ端末２００に無線接続を許可する接続情報（上記の例では、ＳＳＩＤ３および暗号化キー３）のみから、二次元コードを生成して表示する。無線ＬＡＮ端末２００は、無線ＬＡＮ装置１０１−１の提供部１３０または無線ＬＡＮ装置１０１−２の提供部１３０に表示された二次元コードを撮影することにより、デュアル機においてスループットを低下させること無く、無線ＬＡＮ装置１０１−１，１０１−２へ無線接続することができる。
【００４４】
以下に、図４に示した無線ＬＡＮ装置１０１における情報提供方法について説明する。
【００４５】
図６は、図４に示した無線ＬＡＮ装置１０１における情報提供方法を説明するためのフローチャートである。
【００４６】
まず、制御部１２０が、モード設定部１１０が無線ＬＡＮ装置１０１の動作モードとして中継機モードを設定したかどうかを判別する（ステップＳ１１）。
【００４７】
制御部１２０が、モード設定部１１０が無線ＬＡＮ装置１０１の動作モードとして中継機モードを設定していないと判別すると、制御部１２０は、無線ＬＡＮ装置１０１を親機モードで起動する（ステップＳ１２）。すると、制御部１２０は、中継機モードで動作している無線ＬＡＮ装置（以下、中継機と称する）との帰属（無線接続）が完了したかどうかを判別する（ステップＳ１３）。ここで、中継機との帰属（無線接続）が完了したかどうかを判別する方法は、一般的な方法であれば良く、ここでは特に規定しない。
【００４８】
制御部１２０が、中継機との帰属（無線接続）が完了していないと判別した場合、制御部１２０は、不揮発メモリ１６１に格納されている２．４ＧＨｚ帯用の接続情報であるＳＳＩＤ５と暗号化キー５、および５ＧＨｚ帯用の接続情報であるＳＳＩＤ６と暗号化キー６とを読み出し、それぞれの接続情報に基づいて二次元コードを生成し、提供部１３０が、当該２つの二次元コードを提供（表示）する（ステップＳ１４）。
【００４９】
一方、ステップＳ１３にて、制御部１２０が、中継機との帰属（無線接続）が完了したと判別した場合、制御部１２０は、不揮発メモリ１６１に格納されている接続情報のうち、中継機との間の無線通信で使用される接続情報とは異なる接続情報を読み出し、読み出した接続情報に基づいて二次元コードを生成し、提供部１３０が、当該二次元コードを提供（表示）する（ステップＳ１５）。具体的には、制御部１２０は、不揮発メモリ１６１に格納されている接続情報のうち、中継機との間の無線通信で使用される接続情報（ＳＳＩＤ６および暗号化キー６）とは異なる、無線ＬＡＮ端末２００との間の無線通信で使用される２．４ＧＨｚ帯用の接続情報であるＳＳＩＤ５と暗号化キー５とを読み出し、読み出したＳＳＩＤ５と暗号化キー５とに基づいて二次元コードを生成し、提供部１３０が、当該二次元コードを提供（表示）する。
【００５０】
その後、制御部１２０は、中継機との帰属が外れたかどうかを判別する（ステップＳ１６）。この判別方法は、一般的な方法であれば良く、ここでは特に規定しない。制御部１２０が、中継機との帰属が外れたと判別した場合、ステップＳ１３の処理を行う。
【００５１】
一方、ステップＳ１１にて、モード設定部１１０が無線ＬＡＮ装置１０１の動作モードとして中継機モードを設定していると判別すると、制御部１２０は、無線ＬＡＮ装置１０１を中継機モードで起動する（ステップＳ１７）。その後、親機との帰属（無線接続）が完了すると（ステップＳ１８）、制御部１２０は、帰属した親機にあらかじめ設定されている２つの接続情報を取得して、作業メモリ１５１に格納する（ステップＳ１９）。具体的には、制御部１２０は、親機が２．４ＧＨｚ帯を使用して無線通信を行うための接続情報であるＳＳＩＤ３および暗号化キー３と、親機が５ＧＨｚ帯を使用して無線通信を行うための接続情報であるＳＳＩＤ４および暗号化キー４とを親機から取得して、作業メモリ１５１に格納する。なお、ここで、親機との帰属（無線接続）が完了したかどうかを判別する方法は、一般的な方法であれば良く、ここでは特に規定しない。
【００５２】
そして、制御部１２０は、作業メモリ１５１に格納されている接続情報のうち、親機との間の無線通信で使用される接続情報とは異なる接続情報を読み出し、読み出した接続情報に基づいて二次元コードを生成し、提供部１３０が、当該二次元コードを提供（表示）する（ステップＳ２０）。具体的には、制御部１２０は、作業メモリ１５１に格納されている接続情報のうち、親機との間の無線通信で使用される接続情報（ＳＳＩＤ４および暗号化キー４）とは異なる、無線ＬＡＮ端末２００との間の無線通信で使用される２．４ＧＨｚ帯用の接続情報であるＳＳＩＤ３と暗号化キー３とを読み出し、読み出したＳＳＩＤ３と暗号化キー３とに基づいて二次元コードを生成し、提供部１３０が、当該二次元コードを提供（表示）する。
【００５３】
ステップＳ１４またはステップＳ２０の処理を行った後、制御部１２０は、中継機との帰属要求があるかどうかについて、再判定（ポーリング）を行う（ステップＳ２１）。中継機との帰属要求があった場合、ステップＳ１３の処理が行われる。一方、中継機との帰属要求がなかった場合は、制御部１２０は、モード設定部１１０が動作モードを変更したかどうかを判別する（ステップＳ２２）。変更があった場合、ステップＳ１１の処理が行われる。
【００５４】
これにより、デュアル機においてはスループットを低下させること無く、無線ＬＡＮ装置１０１へカメラによる子機との無線接続を実施させることができるという効果を有する。
【００５５】
図７は、他の装置に接続情報を表示させる機能を具備した無線ＬＡＮ装置を使用したシステムの一例を示す図である。
【００５６】
図７に示すように、無線ＬＡＮ装置１０２−１，１０２−１は、他の装置（Ｗｅｂサーバ４００、メールサーバ５００、ユーザＰＣ６１０，６２０）と通信を行う通信部１７０をそれぞれ具備している。通信部１７０は、インターネット３００と接続されたＷＡＮポートを用いて、インターネット３００と接続されたＷｅｂサーバ４００に、接続情報、つまり当該接続情報に基づいて生成した二次元コードを表示させる。また、通信部１７０は、インターネット３００と接続されたＷＡＮポートを用いて、インターネット３００と接続されたメールサーバ５００へ、接続情報を送信する。また、通信部１７０は、ＬＡＮポートと接続されたユーザＰＣ６１０，６２０に、接続情報、つまり当該接続情報に基づいて生成した二次元コードを表示させる。
【００５７】
このように、他の装置に接続情報を表示させることで、提供部１３０を具備しない場合であっても、接続情報を提供することができる。
【００５８】
図８は、複数の無線回路が搭載されている無線ＬＡＮ装置を使用したシステムの他の例を示す図である。
【００５９】
図８に示すように、無線ＬＡＮ装置１０３−１，１０３−２は、装置の外部から操作できるスイッチ１８０をそれぞれ具備している。利用者がスイッチ１８０を操作することで、外部からの指示を入力することができ、その入力に基づいた接続情報を提供することができる。つまり、スイッチ１８０は、提供部１３０が提供する接続情報を、利用者が選択するためのものである。上述したように、２．４ＧＨｚ用と５ＧＨｚ用との２つの種類の周波数帯を使用可能である場合、スイッチ１８０は、２．４ＧＨｚと５ＧＨｚとのどちらを使用するかを設定可能な構造（例えば、２つを選択するためのスライドスイッチ等の物理的なスイッチや、利用者がカーソル移動やキー操作で選択できる無線ＬＡＮ装置１０３−１，１０３−２に搭載されたディスプレイに表示されたメニュー等）である。
【００６０】
例えば、利用者が２．４ＧＨｚを使用するための接続情報を選択するために無線ＬＡＮ装置１０３−１のスイッチ１８０を操作すると、提供部１３０は、無線ＬＡＮ装置１０３−１の不揮発メモリ１６１に格納されている２．４ＧＨｚ用の接続情報であるＳＳＩＤ３および暗号化キー３から生成された二次元コードを表示する。また、利用者が５ＧＨｚを使用するための接続情報を選択するために無線ＬＡＮ装置１０３−１のスイッチ１８０を操作すると、提供部１３０は、無線ＬＡＮ装置１０３−１の不揮発メモリ１６１に格納されている５ＧＨｚ用の接続情報であるＳＳＩＤ４および暗号化キー４から生成された二次元コードを表示する。また、利用者が２．４ＧＨｚを使用するための接続情報を選択するために無線ＬＡＮ装置１０３−２のスイッチ１８０を操作すると、提供部１３０は、無線ＬＡＮ装置１０３−２の作業メモリ１５１に格納されている２．４ＧＨｚ用の接続情報であるＳＳＩＤ３および暗号化キー３から生成された二次元コードを表示する。また、利用者が５ＧＨｚを使用するための接続情報を選択するために無線ＬＡＮ装置１０３−２のスイッチ１８０を操作すると、提供部１３０は、無線ＬＡＮ装置１０３−２の作業メモリ１５１に格納されている５ＧＨｚ用の接続情報であるＳＳＩＤ４および暗号化キー４から生成された二次元コードを表示する。
【００６１】
例えば、２．４ＧＨｚ帯は、インターネット３００、ユーザＰＣ６１０，６２０へのアクセスを許可するが、５ＧＨｚ帯はインターネット３００へのアクセスしか許可しない場合に、利用者がスイッチ１８０を操作して、使用する周波数帯を切り替え、提供する接続情報を切り替える。
【００６２】
これにより、使用する周波数帯を外部から切り替えることができるため、利用者が第三者への接続情報のアクセス制限をかけることができる。
【００６３】
このように、中継機モードを有する無線ＬＡＮ装置から、接続情報を提供することができ、当該無線ＬＡＮ装置と無線ＬＡＮ端末（子機）との間の無線接続を容易に行うことができる。
【００６４】
上述した無線ＬＡＮ装置に設けられた各構成要素が行う処理は、目的に応じてそれぞれ作製された論理回路で行うようにしても良い。また、処理内容を手順として記述したコンピュータプログラム（以下、プログラムと称する）を無線ＬＡＮ装置にて読取可能な記録媒体に記録し、この記録媒体に記録されたプログラムを無線ＬＡＮ装置に読み込ませ、実行するものであっても良い。無線ＬＡＮ装置にて読取可能な記録媒体とは、フロッピー（登録商標）ディスク、光磁気ディスク、ＤＶＤ、ＣＤなどの移設可能な記録媒体の他、無線ＬＡＮ装置に内蔵されたＲＯＭ、ＲＡＭ等のメモリやＨＤＤ等を指す。この記録媒体に記録されたプログラムは、無線ＬＡＮ装置に設けられた制御部１２０にて読み込まれ、制御部１２０の制御によって、上述したものと同様の処理が行われる。ここで、制御部１２０は、プログラムが記録された記録媒体から読み込まれたプログラムを実行するコンピュータとして動作するものである。
【符号の説明】
【００６５】
１００，１００−１，１００−２，１０１，１０１−１，１０１−２，１０２−１，１０２−２，１０３−１，１０３−２    無線ＬＡＮ装置
１１０    モード設定部
１２０    制御部
１３０    提供部
１４０，１４０−１，１４０−２    無線回路
１５０，１５１    作業メモリ
１６０，１６１    不揮発メモリ
１７０    通信部
１８０    スイッチ
２００    無線ＬＡＮ端末
３００    インターネット
４００    Ｗｅｂサーバ
５００    メールサーバ
６１０，６２０    ユーザＰＣ
【図１】
0005692814.tif 000002
【図２】
0005692814.tif 000003
【図３】
0005692814.tif 000004
【図４】
0005692814.tif 000005
【図５】
0005692814.tif 000006
【図６】
0005692814.tif 000007
【図７】
0005692814.tif 000008
【図８】
0005692814.tif 000009